(57)【特許請求の範囲】
【請求項１】
記録媒体上に画像信号を記録する画像記録手段と、
予約録画をする番組の録画開始日時および録画終了日時と、番組の入力経路および録画画質を特定する情報と、更新録画の有無を特定する情報とを、録画予約設定情報として取り込んで記憶する情報取り込み記憶手段と、
その録画予約設定情報をもとに、予約録画の実行によって使用される前記記録媒体の容量を算出する使用容量算出手段と、
前記記録媒体の未使用容量を算出する未使用容量算出手段と、
前記使用容量算出手段によって算出された使用容量と前記未使用容量算出手段によって算出された未使用容量とを比較して、前記記録媒体に録画予約番組を最後まで記録できるか否かを判断する判定手段と、
前記記録媒体に録画予約番組を最後まで記録できないときに、そのことを警告する警告手段とを備え、
前記使用容量算出手段は、録画予約設定で更新録画が設定された番組の記録媒体使用容量を算出するときには、更新録画のときに番組を消去することによって生じる記録媒体容量と、更新録画によって新たに使用される記録媒体容量との差分を、更新録画が設定された番組の記録媒体使用容量とする画像記録装置。
【請求項２】
記録媒体上に画像信号を記録する画像記録装置が実行する画像記録方法として、
予約録画をする番組の録画開始日時および録画終了日時と、番組の入力経路および録画画質を特定する情報と、更新録画の有無を特定する情報とを、録画予約設定情報として取り込んで記憶するステップと、
その録画予約設定情報をもとに、予約録画の実行によって使用される前記記録媒体の容量を算出する使用容量算出ステップと、
前記記録媒体の未使用容量を算出する未使用容量算出ステップと、
前記使用容量算出ステップで算出された使用容量と前記未使用容量算出ステップで算出された未使用容量とを比較して、前記記録媒体に録画予約番組を最後まで記録できるか否かを判断するステップと、
前記記録媒体に録画予約番組を最後まで記録できないときに、そのことを警告するステップとを備え、
前記使用容量算出ステップでは、録画予約設定で更新録画が設定された番組の記録媒体使用容量を算出するときには、更新録画のときに番組を消去することによって生じる記録媒体容量と、更新録画によって新たに使用される記録媒体容量との差分を、更新録画が設定された番組の記録媒体使用容量とする画像記録方法。
【請求項３】
画像記録装置が備えるコンピュータを、
記録媒体上に画像信号を記録する画像記録手段、
予約録画をする番組の録画開始日時および録画終了日時と、番組の入力経路および録画画質を特定する情報と、更新録画の有無を特定する情報とを、録画予約設定情報として取り込んで記憶する情報取り込み記憶手段、
その録画予約設定情報をもとに、予約録画の実行によって使用される前記記録媒体の容量を算出する使用容量算出手段、
前記記録媒体の未使用容量を算出する未使用容量算出手段、
前記使用容量算出手段によって算出された使用容量と前記未使用容量算出手段によって算出された未使用容量とを比較して、前記記録媒体に録画予約番組を最後まで記録できるか否かを判断する判定手段、および、
前記記録媒体に録画予約番組を最後まで記録できないときに、そのことを警告する警告手段、
として機能させるとともに、前記使用容量算出手段としては、録画予約設定で更新録画が設定された番組の記録媒体使用容量を算出するときには、更新録画のときに番組を消去することによって生じる記録媒体容量と、更新録画によって新たに使用される記録媒体容量との差分を、更新録画が設定された番組の記録媒体使用容量とさせる、コンピュータが読み取り可能なプログラムが記録されている記録媒体。
【発明の詳細な説明】
【０００１】
【発明の属する技術分野】
この発明は、画像記録装置および画像記録方法の特に録画予約に関する。
【０００２】
【従来の技術】
ハードディスクなどの記録媒体の大容量化、低価格化、記録媒体への記録再生アクセス速度の高速化、記録再生伝送速度の高速化、および動画を含む画像信号および音声信号を圧縮符号化する処理の高速化が進んだことに伴い、これらの技術を用いて、テレビジョン番組の画像信号および音声信号を圧縮符号化して記録し、復号して再生することができる画像記録装置が開発されるようになってきた。
【０００３】
このような画像記録装置によれば、ハードディスクに代表される大容量の記録媒体に複数のテレビジョン番組の画像信号および音声信号を記録することが可能となるので、複数の番組を予約録画することができるように、録画する番組を設定する機能と、設定された番組を記録媒体に記録する記録制御機能とを持たせるようにすることが望ましい。
【０００４】
例えば、番組を予約して録画できる機能を有する画像記録装置は、予約録画をする番組の開始日時、終了日時、チャンネルなどの番組入力経路、および録画画質などを設定することによって、録画予約の設定状況が分かるような一覧表を表示することができる。
【０００５】
【発明が解決しようとする課題】
しなしながら、この場合、録画予約のモードとしては、更新録画予約と称することができる重ね書き録画モードが考えられ、録画予約された番組を録画するために新たに使われる記録媒体の使用容量は、必ずしも、録画予約された番組を録画するために使われる記録媒体の使用容量の総和にはならない。したがって、記録媒体の残容量で録画予約された番組を録画できるか否かは、録画予約の一覧表を見ただけではわからない。
【０００６】
そこで、この発明は、記録媒体の残容量で録画予約された番組を録画できるか否かを、ユーザに対して正確に表示し、警告することができるようにしたものである。
【０００７】
【課題を解決するための手段】
この発明の画像記録装置は、
記録媒体上に画像信号を記録する画像記録手段と、
予約録画をする番組の録画開始日時および録画終了日時と、番組の入力経路および録画画質を特定する情報と、更新録画の有無を特定する情報とを、録画予約設定情報として取り込んで記憶する情報取り込み記憶手段と、
その録画予約設定情報をもとに、予約録画の実行によって使用される前記記録媒体の容量を算出する使用容量算出手段と、
前記記録媒体の未使用容量を算出する未使用容量算出手段と、
前記使用容量算出手段によって算出された使用容量と前記未使用容量算出手段によって算出された未使用容量とを比較して、前記記録媒体に録画予約番組を最後まで記録できるか否かを判断する判定手段と、
前記記録媒体に録画予約番組を最後まで記録できないときに、そのことを警告する警告手段とを備え、
前記使用容量算出手段は、録画予約設定で更新録画が設定された番組の記録媒体使用容量を算出するときには、更新録画のときに番組を消去することによって生じる記録媒体容量と、更新録画によって新たに使用される記録媒体容量との差分を、更新録画が設定された番組の記録媒体使用容量とするものである。
【００１２】
【発明の実施の形態】
〔記録再生装置のシステム構成〕
図１および図２は、この発明の記録再生装置の一例を示し、映像信号および音声信号を、ＭＰＥＧ（Ｍｏｖｉｎｇ  Ｐｉｃｔｕｒｅ  Ｅｘｐｅｒｔｓ  Ｇｒｏｕｐ）方式によって圧縮符号化し、多重化して、ＭＰＥＧシステムのトランスポートストリーム（ＴＳ：Ｔｒａｎｓｐｏｒｔ  Ｓｔｒｅａｍ）として、ハードディスクドライブ（ＨＤＤ：Ｈａｒｄ  Ｄｉｓｋ  Ｄｒｉｖｅ）内のハードディスクに記録し、ハードディスクから再生する場合である。
【００１３】
なお、以下では、アナログ映像信号およびアナログ音声信号を、映像信号および音声信号と称し、デジタル映像信号およびデジタル音声信号は、デジタル映像データおよびデジタル音声データ、または単に映像データおよび音声データと称する。
【００１４】
この例では、記録再生装置１０は、アナログテレビジョン放送を受信するアンテナ１が接続され、アナログ入力端子１１Ｖ，１１Ａ，１１Ｓ、アナログ出力端子１２Ｖ，１２Ａ，１２Ｓ、デジタル入出力端子１５、デジタルインタフェース１７、入力処理部２０、出力処理部３０、マルチプレクサ／デマルチプレクサ４０、バッファコントローラ５０、ハードディスクドライブ６０、同期制御回路７０、システムコントローラ８０、入出力インタフェース９０、操作入力部１１０およびドライバ１２０を備える。
【００１５】
ハードディスクドライブ６０は、この例では、３枚のハードディスク６１，６２，６３を備え、そのいずれかにトランスポートストリームが記録され、いずれかからトランスポートストリームが再生されるように構成される。
【００１６】
システムコントローラ８０は、ＣＰＵ（Ｃｅｎｔｒａｌ  Ｐｒｏｃｅｓｓｉｎｇ  Ｕｎｉｔ）８１を備え、そのホストバス８２にＲＯＭ（Ｒｅａｄ  ＯｎｌｙＭｅｍｏｒｙ）８３およびＲＡＭ（Ｒａｎｄｏｍ  Ａｃｃｅｓｓ  Ｍｅｍｏｒｙ）８４などが接続されて構成される。
【００１７】
ＲＯＭ８３には、ＣＰＵ８１が実行すべきプログラムが、あらかじめ格納され、ＣＰＵ８１は、そのプログラムを読み出して、記録再生装置１０の各部を制御する。ＲＡＭ８４には、ＣＰＵ８１が記録再生装置１０の各部を制御する上で必要な、その他のプログラムやデータが適宜、書き込まれる。
【００１８】
操作入力部１１０は、キーボード、マウス、ボタン、スイッチ、リモートコマンダなどによって構成され、入出力インタフェース９０を介してホストバス８２に接続される。
【００１９】
ドライバ１２０も、入出力インタフェース９０を介してホストバス８２に接続される。ドライバ１２０は、磁気ディスク１３１、光ディスク１３２、光磁気ディスク１３３、または半導体メモリ１３４などが装着されるように構成され、後述のように、これらに記録されているプログラムをＲＡＭ８４にインストールするものである。
【００２０】
（アナログ入力処理および記録）
アンテナ１で受信されたアナログテレビジョン放送の信号は、操作入力部１１０での操作に基づくシステムコントローラ８０の指示によって、チューナ２１で選局されて、チューナ２１から、選択されたチャンネルのコンポジット映像信号および音声信号が得られ、そのコンポジット映像信号および音声信号が、入力切換回路２２の一方の入力端に供給される。
【００２１】
入力端子１１Ｖには、外部機器からコンポジット映像信号が、入力端子１１Ａには、外部機器から音声信号が、入力端子１１Ｓには、外部機器からセパレート映像信号が、それぞれ供給される。
【００２２】
入力端子１１Ｖからのコンポジット映像信号、および入力端子１１Ａからの音声信号は、入力切換回路２２の他方の入力端に供給され、入力切換回路２２がシステムコントローラ８０によって切り換えられて、入力切換回路２２から、いずれかのコンポジット映像信号および音声信号が選択されて取り出される。
【００２３】
入力切換回路２２からのコンポジット映像信号は、ＹＣ分離回路２３で輝度信号と色差信号に分離されて、別の入力切換回路２４の一方の入力端に供給される。また、入力端子１１Ｓからのセパレート映像信号（輝度信号および色差信号）が、入力切換回路２４の他方の入力端に供給され、入力切換回路２４がシステムコントローラ８０によって切り換えられて、入力切換回路２４から、いずれかの輝度信号および色差信号が選択されて取り出される。
【００２４】
入力切換回路２４からの輝度信号および色差信号は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）デコーダ２５で、それぞれＡ／Ｄ（Ａｎａｌｏｇ  ｔｏ  Ｄｉｇｉｔａｌ）変換され、さらにクロマエンコード処理されて、ＮＴＳＣデコーダ２５からコンポーネント映像データが得られる。
【００２５】
また、ＮＴＳＣデコーダ２５では、入力切換回路２４からの輝度信号から垂直同期信号および水平同期信号が分離されるとともに、その分離された同期信号に基づいてクロックおよびフィールド判別信号が生成され、これら同期信号、クロックおよびフィールド判別信号が、同期制御回路７０に供給される。同期制御回路７０では、これらの信号を基準として記録再生装置１０の各部に必要なクロックおよびタイミング信号が生成されて、記録再生装置１０の各部に供給される。
【００２６】
ＮＴＳＣデコーダ２５からの映像データは、プリ映像処理回路２６でプリフィルタリング処理などの処理が施されたのち、ＭＰＥＧ映像エンコーダ２７および出力処理部３０のポスト映像処理回路３２に供給される。
【００２７】
ＭＰＥＧ映像エンコーダ２７では、プリ映像処理回路２６からの映像データに対してブロックＤＣＴ（Ｄｉｓｃｒｅｔｅ  Ｃｏｓｉｎｅ  Ｔｒａｎｓｆｏｒｍ）などの符号化処理が施されて、映像エレメンタリストリーム（ＥＳ：Ｅｌｅｍｅｎｔａｒｙ  Ｓｔｒｅａｍ）が生成され、その映像エレメンタリストリームがマルチプレクサ／デマルチプレクサ４０に供給される。
【００２８】
一方、入力切換回路２２からの音声信号は、Ａ／Ｄ変換器２８でデジタル音声データに変換されたのち、ＭＰＥＧ音声エンコーダ２９および出力処理部３０の出力切換回路３５に供給される。
【００２９】
ＭＰＥＧ音声エンコーダ２９では、Ａ／Ｄ変換器２８からの音声データがＭＰＥＧ方式によって圧縮符号化されて、音声エレメンタリストリームが生成され、その音声エレメンタリストリームがマルチプレクサ／デマルチプレクサ４０に供給される。
【００３０】
マルチプレクサ／デマルチプレクサ４０では、そのマルチプレクサにおいて、ＭＰＥＧ映像エンコーダ２７からの映像エレメンタリストリームおよびＭＰＥＧ音声エンコーダ２９からの音声エレメンタリストリームと各種の制御信号が多重化されて、ＭＰＥＧシステムのトランスポートストリームが生成され、そのトランスポートストリームがバッファコントローラ５０に送出される。
【００３１】
バッファコントローラ５０は、マルチプレクサ／デマルチプレクサ４０から連続的に入力されるトランスポートストリームを、ハードディスクドライブ６０に断続的に送出する。すなわち、ハードディスクドライブ６０がシーク動作を行っているときには、書き込みができないので、入力されたトランスポートストリームをバッファに一時蓄え、ハードディスクドライブ６０が書き込み可能なときに、そのトランスポートストリームを入力レートより高いレートでバッファから読み出してハードディスクドライブ６０に送出する。これによって、バッファコントローラ５０に連続的に入力されるトランスポートストリームは、途切れることなくハードディスク６１〜６３に記録される。
【００３２】
ハードディスクドライブ６０は、システムコントローラ８０によって制御されて、ハードディスク６１〜６３にトランスポートストリームを書き込む。バッファコントローラ５０とハードディスクドライブ６０との間のプロトコル（インタフェース）としては、ＩＤＥ（Ｉｎｔｅｇｒａｔｅｄ  Ｄｒｉｖｅ  Ｅｌｅｃｔｒｏｎｉｃｓ）などが用いられる。
【００３３】
（再生およびアナログ出力処理）
再生時には、ハードディスクドライブ６０は、システムコントローラ８０によって制御されて、ハードディスク６１〜６３からトランスポートストリームを読み出し、バッファコントローラ５０に送出する。バッファコントローラ５０は、記録時とは逆に、ハードディスクドライブ６０から断続的に入力されるトランスポートストリームを、連続的なトランスポートストリームに変換して、マルチプレクサ／デマルチプレクサ４０に供給する。
【００３４】
マルチプレクサ／デマルチプレクサ４０では、そのデマルチプレクサにおいて、その連続的なトランスポートストリームのヘッダが解析処理されることによって、トランスポートストリームからＰＥＳ（Ｐａｃｋｅｔｉｚｅｄ  Ｅｌｅｍｅｎｔａｒｙ  Ｓｔｒｅａｍ）が分離されて、ＭＰＥＧ映像音声デコーダ３１に供給される。
【００３５】
ＭＰＥＧ映像音声デコーダ３１では、マルチプレクサ／デマルチプレクサ４０からのＰＥＳが映像エレメンタリストリームと音声エレメンタリストリームに分離され、さらに、その映像エレメンタリストリームがＭＰＥＧ映像デコーダで復号されてベースバンドの映像データに変換され、音声エレメンタリストリームがＭＰＥＧ音声デコーダで復号されてベースバンドの音声データに変換される。変換後の映像データはポスト映像処理回路３２に供給され、音声データは出力切換回路３５に供給される。
【００３６】
ポスト映像処理回路３２では、システムコントローラ８０の指示によって、ＭＰＥＧ映像音声デコーダ３１からの映像データおよびプリ映像処理回路２６からの映像データに対して、両者の切り換え、または合成や、ポストフィルタリング処理などの処理が施される。
【００３７】
ポスト映像処理回路３２では、また、ＧＵＩ（Ｇｒａｐｈｉｃａｌ  ＵｓｅｒＩｎｔｅｒｆａｃｅ）用に、代表画面を生成し、複数の代表画面を縮小して、ウィンドウに貼り付ける処理が施され、処理後の映像データが、ＯＳＤ（Ｏｎ  Ｓｃｒｅｅｎ  Ｄｉｓｐｌａｙ）処理回路３３に供給される。
【００３８】
ＯＳＤ処理回路３３では、システムコントローラ８０の指示によって、テキスト情報などに対応する画像データを生成して、ポスト映像処理回路３２からの映像データの、上記のウィンドウ部分の映像データに重畳する処理が施され、処理後の映像データが、ＮＴＳＣエンコーダ３４に供給される。
【００３９】
ＮＴＳＣエンコーダ３４では、ＯＳＤ処理回路３３からの映像データ（コンポーネント映像データ）が、輝度データと色差データとに変換された上で、または変換されることなくそのまま、それぞれＤ／Ａ（Ｄｉｇｉｔａｌ  ｔｏ  Ａｎａｌｏｇ）変換されて、それぞれアナログ信号のセパレート映像信号およびコンポジット映像信号が生成される。そのセパレート映像信号は出力端子１２Ｓに導出され、コンポジット映像信号は出力端子１２Ｖに導出される。
【００４０】
一方、出力切換回路３５では、システムコントローラ８０によって、ＭＰＥＧ映像音声デコーダ３１からの音声データと、Ａ／Ｄ変換器２８からの音声データとの、いずれかが選択されて取り出される。その選択された音声データは、Ｄ／Ａ変換器３６でアナログ音声信号に変換されて、出力端子１２Ａに導出される。
【００４１】
出力端子１２Ｓに導出されたセパレート映像信号、出力端子１２Ｖに導出されたコンポジット映像信号、および出力端子１２Ａに導出された音声信号が、外部のテレビジョン受信機などのモニタ装置２に出力されることによって、モニタ装置２において、画像が表示され、音声が出力される。
【００４２】
（外部装置からの映像音声データの記録再生）
この例では、記録再生装置１０は、デジタル入出力端子１５とマルチプレクサ／デマルチプレクサ４０との間にデジタルインタフェース１７が接続されて、デジタル入出力端子１５に外部装置５を接続することによって、外部装置５から入力されたトランスポートストリームをハードディスク６１〜６３に記録し、ハードディスク６１〜６３から再生されたトランスポートストリームを外部装置５に出力することができるように構成される。
【００４３】
外部装置５としては、ＩＲＤ（Ｉｎｔｅｇｒａｔｅｄ  Ｒｅｃｅｉｖｅｒ  Ｄｅｃｏｄｅｒ）やパーソナルコンピュータなどの機器を接続することができる。デジタルインタフェース１７としては、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４デジタルインタフェースが用いられ、外部装置５とデジタル入出力端子１５とを接続するシリアルバス６としては、ＩＥＥＥ１３９４シリアルバスが用いられる。
【００４４】
外部装置５からシリアルバス６を介してデジタル入出力端子１５に入力されたトランスポートストリームは、デジタルインタフェース１７でインタフェース処理されてマルチプレクサ／デマルチプレクサ４０に送出され、マルチプレクサ／デマルチプレクサ４０からバッファコントローラ５０に送出されて、ハードディスクドライブ６０によってハードディスク６１〜６３に記録される。
【００４５】
これと同時に、マルチプレクサ／デマルチプレクサ４０のデマルチプレクサで、記録されるトランスポートストリームからＰＥＳが分離されて、ＭＰＥＧ映像音声デコーダ３１に供給されることによって、出力端子１２Ｖ，１２Ｓおよび１２Ａに、アナログ映像信号およびアナログ音声信号を得ることができる。
【００４６】
再生時には、ハードディスクドライブ６０によってハードディスク６１〜６３からトランスポートストリームが読み出されて、その再生されたトランスポートストリームが、バッファコントローラ５０に送出され、バッファコントローラ５０からマルチプレクサ／デマルチプレクサ４０に送出されて、デジタルインタフェース１７でインタフェース処理されてデジタル入出力端子１５に出力され、デジタル入出力端子１５からシリアルバス６を介して外部装置５に送出されて、外部装置５に接続されたモニタ装置７において、画像が表示され、音声が出力される。
【００４７】
これと同時に、マルチプレクサ／デマルチプレクサ４０のデマルチプレクサで、再生されたトランスポートストリームからＰＥＳが分離されて、ＭＰＥＧ映像音声デコーダ３１に供給されることによって、出力端子１２Ｖ，１２Ｓおよび１２Ａに、再生アナログ映像信号および再生アナログ音声信号を得ることができる。
【００４８】
〔録画予約設定処理の実施形態〕
以上のような記録再生装置１０において、ユーザが録画予約した場合の記録再生装置１０における録画予約設定処理方法の一例を、以下に示す。
【００４９】
図３は、この場合にシステムコントローラ８０が行う録画予約設定処理ルーチンの一例を示す。
【００５０】
この録画予約設定処理ルーチンでは、ユーザが操作入力部１１０で録画予約の操作をすることによって録画予約設定処理を開始して、まずステップＳ１において、システムコントローラ８０は、操作入力部１１０から、予約録画をする番組のチャンネル、開始日時、終了日時および録画画質を、録画予約設定情報としてＲＡＭ８４に取り込む。
【００５１】
次に、ステップＳ２において、システムコントローラ８０は、ステップＳ１で取り込んだ録画予約設定情報から、予約番組を最後まで記録するために必要な記憶容量を算出する。
【００５２】
次に、ステップＳ３において、システムコントローラ８０は、記録媒体の空き容量を算出する。このとき、システムコントローラ８０は、既に該当録画予約の日時より早い日時に録画予約がある場合には、該当録画予約の日時の時点までに消費される容量を、現時点での記録媒体の空き容量から差し引いた結果を記録媒体の空き容量として算出する。なお、録画予約が更新録画予約に設定されていて既に録画されている番組記録領域に上書きされるときには、録画予約が設定されていても新たな領域を消費されることはないので、該当録画予約の日時の時点までに消費される容量には含まれない。
【００５３】
図４に、各場合の録画予約の態様の一例を示す。
【００５４】
次に、ステップＳ４において、システムコントローラ８０は、ステップＳ２で算出した予約番組を記録するために必要な記録容量と、ハードディスク６１〜６３の空き容量とを比較して、予約番組を最後まで録画できるか否かを判定し、最後まで録画できないときには、ステップＳ４からステップＳ５に進む。
【００５５】
ステップＳ５では、システムコントローラ８０は、現在の時点で、ハードディスク６１〜６３の空き容量と予約番組設定条件では予約番組を最後まで録画できないことを示す警告を行って、ステップＳ６に進む。
【００５６】
ステップＳ４において、予約番組を最後まで録画できると判断したときには、システムコントローラ８０は、ステップＳ４から直接、ステップＳ６に進む。
【００５７】
ステップＳ６では、予約録画設定を終了するか否かを表示し、さらにステップＳ７において、操作入力部１１０から得たデータに基づいて、予約録画設定を終了するか否かを判定し、終了すると判定した場合には、予約録画設定を終了する。
【００５８】
ステップＳ７で予約設定を終了しないと判定した場合には、システムコントローラ８０は、ステップＳ１に戻って、予約録画設定を繰り返す。
【００５９】
上述した例は、予約設定処理をソフトウェアによって実現する場合で、このように予約設定処理をソフトウェアによって実現する場合には、そのソフトウェアを構成するプログラムは、記録再生装置１０が専用のハードウェアを構成する場合には、これに組み込まれているコンピュータであるシステムコントローラ８０に、記録媒体からインストールされ、記録再生装置１０が各種のプログラムをインストールすることによって各種の機能を実行することができる汎用のパーソナルコンピュータとして構成される場合には、そのパーソナルコンピュータに、記録媒体からインストールされる。
【００６０】
この記録媒体は、図２に示すように、記録再生装置１０（コンピュータ）とは別に、ユーザにプログラムを提供するために配布される、プログラムが記録されている磁気ディスク（フロッピーディスクを含む）１３１、光ディスク（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）１３２、光磁気ディスク（ＭＤ（Ｍｉｎｉ  Ｄｉｓｋ）を含む）１３３、または半導体メモリ１３４などからなるパッケージメディアによって構成されるだけでなく、あらかじめ記録再生装置１０（コンピュータ）に組み込まれた状態でユーザに提供される、プログラムが格納されているＲＯＭ８３やハードディスクドライブ６０に含まれるハードディスク６１〜６３などによって構成される。
【００６２】
なお、予約設定処理は、ソフトウェアではなく、ハードウェアによって実現することもできる。
【００６３】
〔他の実施形態〕
上述した実施形態は、映像データおよび音声データをＭＰＥＧ方式によって圧縮する場合であるが、他の圧縮方式によって圧縮してもよく、あるいは圧縮しないで、単にデジタルデータに変換し、またはデジタルデータのままとするだけでもよい。
【００６４】
また、上述した実施形態は、記録再生装置の記録媒体としてハードディスクを用いる場合であるが、光ディスク、光磁気ディスク、半導体メモリなどを用いてもよい。
【００６５】
【発明の効果】
以上のように、この発明によれば、番組放送ごとに録画予約を設定する録画予約方法と、複数回にわたって放送される番組を１つの録画予約設定で行い、前回以前の放送回の録画を記録媒体から消去して最新の放送回分を記録媒体に録画するという録画予約方法とを混在して録画予約を行う場合、録画予約した番組が最後まで記録できるか否かを緑画予約設定時に判定して、表示させることができる。
【図面の簡単な説明】
【図１】この発明の記録再生装置の一例の一部を示す図である。
【図２】この発明の記録再生装置の一例の一部を示す図である。
【図３】システムコントローラが行う録画予約設定処理ルーチンの一例を示す図である。
【図４】重複録画予約の説明に供する図である。
【符号の説明】
主要部については図中に全て記述したので、ここでは省略する。
【図１】
0004264562.tif 000002
【図２】
0004264562.tif 000003
【図３】
0004264562.tif 000004
【図４】
0004264562.tif 000005